(57)【要約】      （修正有）【課題】簡単にフィルターを取り換えることができ、フィルターがマスク本体から容易に移動することがない衛生マスクおよび衛生マスク用フィルターを提供する。【解決手段】衛生マスク１は、一対の耳掛け部２３，２４を有し、その中央部が前方に突出する立体形状に形成されるマスク本体２と、一対の耳掛け部を有さず、マスク本体２の立体形状に沿ってその中央部が前方に突出する立体形状に形成され、マスク本体２の内面に沿って配置されるフィルター３とを備え、フィルター３は、その上辺に沿って延在し、使用者の鼻の形状に沿って変形する長尺状の芯材３２を有している。【選択図】図１
0003213767.tif 000002
【実用新案登録請求の範囲】
【請求項１】
一対の耳掛け部を有し、その中央部が前方に突出する立体形状に形成されるマスク本体と、
一対の耳掛け部を有さず、前記マスク本体の立体形状に沿ってその中央部が前方に突出する立体形状に形成され、前記マスク本体の内面に沿って配置されるフィルターとを備え、
前記フィルターは、その上辺に沿って延在し、使用者の鼻の形状に沿って変形する長尺状の芯材を有している、衛生マスク。
【請求項２】
前記マスク本体は、左右対称に設けられる右側部および左側部を有し、
前記右側部の端部と、前記右側部に対向する前記左側部の端部とが、前記マスク本体の左右方向の中央部において接着固定されており、
前記マスク本体は、上下間にわたって湾曲状に前方へ突出する、請求項１に記載の衛生マスク。
【請求項３】
前記フィルターは、その上方に位置し左右方向に連続した上方領域と、前記上方領域の右側下方に位置する右下領域と、前記上方領域の左側下方に位置する左下領域とを有し、
前記右下領域の端部と、前記右下領域に対向する前記左下領域の端部とが、前記フィルターの左右方向の中央部において接着固定されており、
前記フィルターは、上下間にわたって湾曲状に前方へ突出し、
前記芯材は、前記上方領域に設けられている、請求項１または２に記載の衛生マスク。
【請求項４】
前記フィルターは、複数のシートが重ね合わされており、
前記芯材は、前記フィルターの上辺に沿って延在する収納部に収納されており、
前記収納部は、前記複数のシートの所定領域を厚み方向に接着させて袋状にすることにより形成されている、請求項１〜３のいずれかに記載の衛生マスク。
【請求項５】
前記マスク本体は、ポリウレタンにより形成されており、
前記フィルターは、ポリテトラフルオロエチレンにより形成されている、請求項１〜４のいずれかに記載の衛生マスク。
【請求項６】
一対の耳掛け部を有するマスク本体の内面に沿って配置される衛生マスク用のフィルターであって、
当該フィルターは、一対の耳掛け部を有さず、左右方向に連続した上方領域と、前記上方領域の右側下方に位置する右下領域と、前記上方領域の左側下方に位置する左下領域とを有し、前記右下領域の端部と、前記右下領域に対向する前記左下領域の端部とが、前記フィルターの左右方向の中央部において接着固定されており、前記マスク本体の立体形状に沿って、その中央部が上下間にわたって湾曲状に前方へ突出する立体形状に形成され、
前記上方領域には、その上辺に沿って延在し、使用者の鼻の形状に沿って変形する長尺状の芯材が設けられていることを特徴とする、衛生マスク用フィルター。
【考案の詳細な説明】
【技術分野】
【０００１】
この考案は、衛生マスクおよび衛生マスク用フィルターに関し、特に、使用者の鼻および口を覆う衛生マスクおよび衛生マスク用フィルターに関する。
【背景技術】
【０００２】
従来から、顔面の鼻口部を覆う本体部分を内部シートと外部シートとの二層構造にした衛生マスクが知られている。
【０００３】
特開平１０−１６５５２７号公報（特許文献１）には、マスク本体の内側と顔面の間に配置される使い捨てシートが開示されている。
【０００４】
特開２００４−４９３５６号公報（特許文献２）には、マスク本体と、マスク本体の内側に配置されて、その両側がマスク本体に接着されている内側マスクとを備えた衛生マスクが開示されている。
【先行技術文献】
【特許文献】
【０００５】
【特許文献１】特開平１０−１６５５２７号公報
【特許文献２】特開２００４−４９３５６号公報
【考案の概要】
【考案が解決しようとする課題】
【０００６】
特許文献１は、シートが汚れた場合は、容易に新しいシートと取り換えることができるが、使用時にシートが落下する場合がある。また、特許文献２のマスクでは、内側マスクはマスク本体と接着されているため、内側マスクが汚れたとしても、内側マスクだけを取り換えることはできない。
【０００７】
本考案は、上記のような課題を解決するためになされたものであって、その目的は、簡単にフィルターを取り換えることができ、フィルターがマスク本体から容易に移動することがない衛生マスクおよび衛生マスク用フィルターを提供することを目的とする。
【課題を解決するための手段】
【０００８】
本考案の一態様に係る衛生マスクは、一対の耳掛け部を有し、その中央部が前方に突出する立体形状に形成されるマスク本体と、一対の耳掛け部を有さず、マスク本体の立体形状に沿ってその中央部が前方に突出する立体形状に形成され、マスク本体の内面に沿って配置されるフィルターとを備え、フィルターは、その上辺に沿って延在し、使用者の鼻の形状に沿って変形する長尺状の芯材を有している。
【０００９】
好ましくは、マスク本体は、左右対称に設けられる右側部および左側部を有し、右側部の端部と、右側部に対向する左側部の端部とが、マスク本体の左右方向の中央部において接着固定されており、マスク本体は、上下間にわたって湾曲状に前方へ突出する。
【００１０】
好ましくは、フィルターは、その上方に位置し左右方向に連続した上方領域と、上方領域の右側下方に位置する右下領域と、上方領域の左側下方に位置する左下領域とを有し、右下領域の端部と、右下領域に対向する左側領域の端部とが、フィルターの左右方向の中央部において接着固定されており、フィルターは、上下間にわたって湾曲状に前方へ突出し、芯材は、上方領域に設けられている。
【００１１】
好ましくは、フィルターは、複数のシートが重ね合わされており、芯材は、フィルターの上辺に沿って延在する収納部に収納されており、収納部は、複数のシートの所定領域を厚み方向に接着させて袋状にすることにより形成されている。
【００１２】
好ましくは、マスク本体は、ポリウレタンにより形成されており、フィルターは、ポリテトラフルオロエチレンにより形成されている。
【００１３】
本考案の一態様に係る衛生マスク用フィルターは、一対の耳掛け部を有するマスク本体の内面に沿って配置される衛生マスク用のフィルターであって、フィルターは、一対の耳掛け部を有さず、左右方向に連続した上方領域と、上方領域の右側下方に位置する右下領域と、上方領域の左側下方に位置する左下領域とを有し、右下領域の端部と、右下領域に対向する左下領域の端部とが、フィルターの左右方向の中央部において接着固定されており、マスク本体の立体形状に沿って、その中央部が上下間にわたって湾曲状に前方へ突出する立体形状に形成され、上方領域には、その上辺に沿って延在し、使用者の鼻の形状に沿って変形する長尺状の芯材が設けられている。
【考案の効果】
【００１４】
本考案によれば、簡単にフィルターを取り換えることができ、フィルターがマスク本体から容易に移動することがない衛生マスクおよび衛生マスク用フィルターを提供することができる。
【図面の簡単な説明】
【００１５】
【図１】本考案の実施の形態に係る衛生マスクの斜視図である。
【図２】本考案の実施の形態に係る衛生マスクを内側から見た平面図である。
【図３】フィルターの正面図である。
【図４】フィルターを折り畳んだ状態を示す正面図である。
【図５】フィルターの製造方法を説明するための図である。
【図６】本考案の実施の形態に係る衛生マスクの使用状態を示す断面図である。
【図７】本考案の実施の形態に係る衛生マスクを示す分解構成図である。
【考案を実施するための形態】
【００１６】
本考案の実施の形態について図面を参照しながら詳細に説明する。なお、図中同一または相当部分には同一符号を付してその説明は繰り返さない。
【００１７】
＜衛生マスクの概略＞
図１，図２を参照して、本考案の一実施の形態の衛生マスク１について説明する。図１において、矢印Ａ１で示す方向を前方といい、その反対方向を後方という。図２において、矢印Ａ２で示す方向を上下方向といい、矢印Ａ３で示す方向を左右方向という。
【００１８】
衛生マスク１は、マスク本体２と、マスク本体２の内面に沿って配置されるフィルター３とを備えている。衛生マスク１を使用することで、呼吸する際に、マスク本体２を通して吸い込まれる空気中の異物をフィルター３で捕捉・分離することができ、異物が鼻および口に侵入するのを防ぐことができる。
【００１９】
＜マスク本体について＞
まず、マスク本体２について説明する。
【００２０】
マスク本体２は、一対の耳掛け部２３，２４を有し、その中央部が前方に突出する立体形状に形成されている。マスク本体２は、左右対称に設けられる右側部２１および左側部２２を有している。右側部２１および左側部２２は、後方端部に耳掛け部２３，２４がそれぞれ設けられている。本実施の形態において耳掛け部２３，２４は、それぞれ右側部２１および左側部２２の一部が切り抜かれることで一体的に形成されているが、右側部２１および左側部２２と別部材とし、後付けしてもよい。
【００２１】
図２に示すように、マスク本体２は、右側部２１の左方端部と、右側部２１に対向する左側部２２の右方端部とが、マスク本体２の左右方向の中央部において接着固定されて接着部３０が形成されている。マスク本体２は、接着部３０が形成されることにより、上下間にわたって湾曲状に前方へ突出する。
【００２２】
なお、接着部３０は、右側部２１と左側部２２とが、たとえば縫製、融着、溶着などにより接着されていればよい。本実施の形態の接着部３０は、熱融着により形成されている。このような構成により、マスク本体２は、使用時では接着部２０が上下間にわたって湾曲状に前方に突出し、不使用時では接着部２０を境界に２つ折りにすることが可能である。
【００２３】
マスク本体２は、たとえば、熱可塑性の合成樹脂繊維などにより形成されている。本実施の形態のマスク本体２は、弾力性および伸縮性に優れるポリウレタンにより形成されていることが好ましい。花粉、ＰＭ２．５などの防塵を高確率（たとえば、９０％以上）で捕捉・分離するために、ポリウレタンのセルを立体網目構造とし、セルの大きさを防塵の微粒子を捕集することができるサイズにすることが好ましい。また、通気性を向上させるために、ポリウレタンのセル膜を除去したものを用いることが好ましい。
【００２４】
＜フィルターについて＞
図３〜５をさらに参照して、フィルター３について説明する。
【００２５】
フィルター３は、一対の耳掛け部を有さず、マスク本体２の立体形状に沿ってその中央部が前方に突出する立体形状に形成され、マスク本体２の内面に沿って配置される。フィルター３の外形は、マスク本体２の外形よりも小さく形成される。図３に示すように、フィルター３は、上方に位置し左右方向に連続した上方領域３Ａと、上方領域３Ａの右側下方に位置する右下領域３Ｂと、上方領域３Ａの左側下方に位置する左下領域３Ｃとを有する。
【００２６】
図５に示すように、フィルター３は、正面視略矩形形状のシート４０から形成される。このシート４０は、左右方向の中央位置において、下方から上方に向かって切り込まれる切り込み部４１（ハッチングで示す部分）が設けられている。この切り込み部４１を切り取って、右下領域３Ｂの端部３ｂと、右下領域３Ｂに対向する左下領域３Ｃの端部３ｃとを接着固定することで、接着部３０（図３）が形成される。さらに、フィルター３を顎の形状に沿うようにするために、シート４０の左右の側辺４０１と下辺４０２とが交わる一対の角部４２（ハッチングで示す部分）が切り取られている。。
【００２７】
接着部３０は、右下領域３Ｂの端部３ｂと左下領域３Ｃの端部３ｃとが接着されていればよく、たとえば、縫製、融着、溶着などで接着されていればよい。本実施の形態の接着部３０は、熱融着により形成されている。このような構成により、マスク本体２は、使用時では、接着部２０が上下間にわたって湾曲状に前方に突出し、不使用時では、図４に示すように、接着部２０を境界に２つ折りにすることが可能である。
【００２８】
フィルター３は、複数のシートが重ね合わされている。本実施の形態のフィルター３は、たとえば２層構造である。重ね合わされた２層の積層シートは、たとえば熱圧着によりその外周縁が接合される。フィルター３は、たとえば、熱可塑性の不織布などにより形成されている。本実施の形態のマスク本体２は、ポリテトラフルオロエチレン（以下、ＰＴＦＥという）により形成された不織布が用いられている。
【００２９】
図３に示すように、フィルター３は、使用者の鼻の形状に沿って変形する長尺状の芯材３２を有している。芯材３２は、使用時に鼻の凹凸形状に沿って鼻を横切る顔面に密着し、鼻の両側面に相当する箇所を保形する役割を果たす。芯材３２は、フィルター３の上辺に沿って延在する。具体的には、芯材３２は、上方領域３Ａに設けられて、左右方向に延びている。芯材３２は、たとえば可撓性で柔軟性があり、保形性を有する金属または樹脂である。
【００３０】
芯材３２は、フィルター３の上辺に沿って延在する収納部３４に収納されている。ここで、収納部３４は、複数のシートの所定領域を厚み方向に接着させて袋状にすることにより形成されている。具体的には、収納部３４は、上方領域３Ａにおいて、間隔をあけて設けられる熱溶着部３３により袋状に囲まれる部分である。収納部３４は、左右方向に連続した領域である上方領域３Ａに設けられることで左右方向に連続するため、収納部３４内に長尺状の芯材３２を挿入しやすい。
【００３１】
収納部３４は、芯材３２の大きさより少し大きく形成されている。これにより、芯材３２を収納しやすく、芯材３２が収納部３４内部で移動することを防止することができる。さらに、正面視矩形形状のシートに切り込みを入れて接着するだけでよいため、フィルター３を簡単に製造することができる。さらに、芯材３２は、左右方向に連続する上方領域３Ａに配置されるため、芯材３２の取付けも容易である。
【００３２】
＜衛生マスクの装着方法について＞
図６，７を参照して、衛生マスク１の装着方法について説明する。
【００３３】
まず、図７に示すように、２つ折りにされたマスク本体２を開き、２つ折りにされたフィルター３を開いて、マスク本体２の内面に沿ってフィルター３を配置させる。この際、マスク本体２にフィルター３を連結する必要はなく、マスク本体２上にフィルター３を置くだけでよい。次に、マスク本体２上にフィルター３を置いた状態のまま、耳掛け部２３，２４を使用者の耳に装着して、図６に示すように、衛生マスク１を顔面に装着する。フィルター３の芯材３２をマスク本体２上から押圧して、使用者の鼻の立体形状に沿って変形させて鼻とフィットさせる。
【００３４】
これにより、芯材３２が使用者の鼻とフィットするため、マスク本体２とフィルター３とを直接連結させなくとも、使用状態においてフィルター３がマスク本体２の内面で移動するおそれがない。さらに、ＰＴＦＥにより形成されたフィルター３を、ポリウレタンにより形成されたマスク本体２上に配置させることで、フィルター３とマスク本体２との間に摩擦抵抗が生じるため、装着する際に衛生マスク１を縦にしたとしても、マスク本体２からフィルター３が落ちにくい。さらに、装着した後も、フィルター３がずれにくい。
【００３５】
また、マスク本体２とフィルター３とは連結されていないため、フィルター３が汚れてしまった場合には、簡単にフィルター３だけを取り換えることが可能である。マスク本体２として洗浄して繰り返し使えるものを採用し、フィルター３として繰り返し使えない、いわゆる使い捨てのフィルターを採用してもよい。これにより、マスク本体２を繰り返し使いつつ、衛生マスク１を常に清潔に保つことができる。
【００３６】
販売形態としては、マスク本体２とフィルター３とを二つに重ねて衛生マスク１として販売してもよいし、フィルター３だけを衛生マスク用フィルター単体として販売してもよい。
【００３７】
なお、本実施の形態において、マスク本体２およびフィルター３は、連結されていないとしたが、限定的ではない。たとえば、フィルター３は、着脱自在にマスク本体２に接着固定されていてもよい。
【００３８】
また、本実施の形態において、芯材３２は収納部３４に収納されるとした。しかし、収納部３４を設けずに、フィルター３１の表面に芯材３２を直接接着してもよい。また、収納部３４の形成方法は、熱圧着に限定されず、たとえば縫製により形成されてもよい。
【００３９】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【符号の説明】
【００４０】
１  衛生マスク、２  マスク本体、３  フィルター、３Ａ  上方領域、３Ｂ  右下領域、３Ｃ  左下領域、３ｂ，３ｃ  端部、２０  接着部、２１  右側部、２２  左側部、２３，２４  耳掛け部、３０  接着部、３１  フィルター本体、３２  芯材、３３  熱溶着部、３４  収納部、４０  シート、４１  切り込み部。
【図１】
0003213767.tif 000003
【図２】
0003213767.tif 000004
【図３】
0003213767.tif 000005
【図４】
0003213767.tif 000006
【図５】
0003213767.tif 000007
【図６】
0003213767.tif 000008
【図７】
0003213767.tif 000009